(57)【要約】 【課題】本考案は、一般家庭から小規模販売店更には大規模販売店まで幅広く使用することができ、ヘルメットの係止及び取り外しが容易で、係止時の安定性もあり、更にヘルメット係止時にヘルメットを見栄え良く係止しておくことができるヘルメット用壁掛けフックを提供する。【解決手段】本考案は、ヘルメットを壁に掛けるためのフックであって、支柱の一端にリング部を備えて前記リング部にヘルメットを被せて係止するヘルメット係止部と、前記支柱の他端に連結され壁に固定されるプレートとからなることを特徴とするヘルメット用壁掛けフックの構成とした。【選択図】  図１
0003174732.tif 000002
【実用新案登録請求の範囲】
【請求項１】
ヘルメットを壁に掛けるためのフックであって、
支柱２ｂの一端にリング部２ａを備えて前記リング部２ａにヘルメット６を被せて係止するヘルメット係止部２と、
前記支柱２ｂの他端に連結され壁に固定されるプレート３ａとからなることを特徴とするヘルメット用壁掛けフック。
【請求項２】
前記プレート３ａを、
前記ヘルメット係止部２と係止棒４ａを併設したプレート３ａとしたことを特徴とする請求項１に記載のヘルメット用壁掛けフック。
【請求項３】
前記プレート３ａを、
前記ヘルメット係止部２を複数備えたプレート３ａ、
又は
前記ヘルメット係止部２に加え係止棒４ａを複数備えたプレート３ａのいずれかのプレート３ａとしたことを特徴とする
請求項１又は請求項２のいずれかに記載のヘルメット用壁掛けフック。
【請求項４】
前記支柱２ｂを
前記プレート３ａに略垂直に連結した張り出し棒２ｃと前記張り出し棒２ｃから上方にカーブして先端が前記プレート３ａ側に位置する起立棒２ｄからなり、前記張り出し棒２ｃと起立棒２ｄの角度が７０°から７５°である支柱２ｂとしたことを特徴とする請求項１乃至請求項３のいずれか１項に記載のヘルメット用壁掛けフック。
【考案の詳細な説明】
【技術分野】
【０００１】
本考案は、ヘルメット（特にフルフェイス型のヘルメット）を壁に掛けるためのフックに関する。
【背景技術】
【０００２】
従来、オートバイ用のヘルメット（特にフルフェイス型のヘルメット）を使用しない時は、棚や台の上に置いていたり、床に置いたりしていた。
【０００３】
また、オートバイ用品の販売店などでは、棚や台を設けてその上にヘルメットを陳列したり、壁にフックを取り付けてヘルメットの正面が下を向くような状態で係止し陳列していた。
【０００４】
しかしながら、使用しないヘルメットは以外に大きく、棚や台に置いた場合は棚や台の上を占領してしまうことがあり、また床に置いた場合にも躓いたり、ぶつかったりする危険があるものであった。
【０００５】
また、販売店などでは棚や台等ではヘルメットを陳列するスペースが限られるため、上述のように壁にフックを取り付けてヘルメットを係止する方法で陳列しているが、ヘルメットの正面が下を向く状態での陳列となり、天井近くに陳列されて下から見上げる場合は見やすいが、目線近くにある場合は、下から覗き込まなければ正面からのデザインを見ることができないものであった。
【０００６】
更に、このような陳列では、ヘルメットを手にとって吟味した後、元に戻すにも係止のバランスを取ることが難しく、実際に消費者が手にとって比べるには面倒なものであった。
【０００７】
また、特許文献１に示すようなヘルメットスタンドがあるが、特許文献1に示すヘルメットスタンドは、棚や台の上に置いて、そのヘルメットスタンドにヘルメットを被せて陳列するもので、棚や台にヘルメットを直置きする場合とヘルメットを置くことが出来る数に変わりはなかった。
【０００８】
また、特許文献２に示すようなヘルメットスタンドがあるが、これは特許文献１のヘルメットスタンドを四方に配置し、更にそれを積み重ねてタワー型としたもので、一箇所に陳列できるヘルメットの数を増やすことができるものであるが、一つのタワーに重量のあるヘルメットを複数係止出来る程の安定性をもたせるため、タワー自体が大きくなる傾向が懸念され、更に販売店が狭い場合などには使用しずらいものであった。
【先行技術文献】
【特許文献】
【０００９】
【特許文献１】実開昭６２−１０６５７７号公報
【特許文献２】実開昭６２−１０６５７６号広報
【考案の概要】
【考案が解決しようとする課題】
【００１０】
そこで、本考案は、一般家庭から小規模販売店更には大規模販売店まで幅広く使用することができ、ヘルメットの係止及び取り外しが容易で、係止時の安定性もあり、更にヘルメット係止時にヘルメットを見栄え良く係止しておくことができるヘルメット用壁掛けフックを提供する。
【課題を解決するための手段】
【００１１】
本考案は、上記の課題を解決するために、ヘルメットを壁に掛けるためのフックであって、支柱２ｂの一端にリング部２ａを備えて前記リング部２ａにヘルメット６を被せて係止するヘルメット係止部２と、前記支柱２ｂの他端に連結され壁に固定されるプレート３ａとからなることを特徴とするヘルメット用壁掛けフックの構成とした。
【００１２】
また、前記プレート３ａを、前記ヘルメット係止部２と係止棒４ａを併設したプレート３ａとしたことを特徴とするヘルメット用壁掛けフックの構成とした。
【００１３】
また、前記プレート３ａを、前記ヘルメット係止部２を複数備えたプレート３ａ、又は前記ヘルメット係止部２に加え係止棒４ａを複数備えたプレート３ａのいずれかのプレート３ａとしたことを特徴とするヘルメット用壁掛けフックの構成とした。
【００１４】
更に、前記支柱２ｂを、前記プレート３ａに略垂直に連結した張り出し棒２ｃと前記張り出し棒２ｃから上方にカーブして先端が前記プレート３ａ側に位置する起立棒２ｄからなり、前記張り出し棒２ｃと起立棒２ｄの角度が７０°から７５°である支柱２ｂとしたことを特徴とするヘルメット用壁掛けフックの構成とした。
【考案の効果】
【００１５】
本考案は上記のような構成であるため、誰でも簡単にヘルメットを安定させた状態で係止することができる。
【００１６】
また、係止後のヘルメットはヘルメットの正面がやや下方を向いた状態を保つ事ができるため、壁に陳列した際に見栄えがよく、購入者にとってはヘルメット全体のデザインが一目瞭然となる。
【００１７】
また、ヘルメット係止部が一つのものから複数のものまであるため、一般家庭から小規模販売店更には大規模販売店まで利用することができる。
【００１８】
更に、予備係止部を設けることにより、ヘルメットと一緒にバイクスーツやグローブなどを係止することや、商品プレートを下げたりすることができる。
【図面の簡単な説明】
【００１９】
【図１】本考案であるヘルメット用壁掛けフックの斜視図である。
【図２】本考案であるヘルメット用壁掛けフックの正面図である。
【図３】本考案であるヘルメット用壁掛けフックの背面図である。
【図４】本考案であるヘルメット用壁掛けフックの左側面図である。
【図５】本考案であるヘルメット用壁掛けフックの平面図である。
【図６】本考案であるヘルメット用壁掛けフックの底面図である。
【図７】本考案であるヘルメット用壁掛けフックの使用状態を示した図である。
【図８】本考案であるヘルメット用壁掛けフックの第二実施例の斜視図である。
【図９】本考案であるヘルメット用壁掛けフックの第三実施例及び第四実施例の斜視図である。
【考案を実施するための形態】
【００２０】
以下、添付の図面を参照し、本考案の実施の形態について詳細に説明する。
【実施例１】
【００２１】
図１は本考案であるヘルメット用壁掛けフックの斜視図、図２はヘルメット用壁掛けフックの正面図、図３はヘルメット用壁掛けフックの背面図、図４はヘルメット用壁掛けフックの左側面図、図５はヘルメット用壁掛けフックの平面図、図６はヘルメット用壁掛けフックの底面図、図７はヘルメット用壁掛けフックの使用状態を示した図である。
【００２２】
図１から図６に示すように、本考案であるヘルメット用壁掛けフック１は、ヘルメットを壁に掛けるためのフックであって、支柱２ｂの一端にリング部２ａを備えて前記リング部２ａにヘルメット６を被せて係止するヘルメット係止部２と、前記支柱２ｂの他端に連結され壁に固定されるプレート３ａとからなる。
【００２３】
前記リング部２ａはヘルメット６の係止時にヘルメット６内に位置する部材で、リングの直径は前記ヘルメット６内に設けた頭頂部緩衝部材６ａよりも大きいことが好適である。但し、頭頂部緩衝部材６ａが大きい場合等の通常とは異なる形状であった場合は、頭頂部緩衝部材６ａよりも大きい必要はない。尚、前記リング部２ａの外径はおよそ１５ｃｍ程度を予定しているが、それ以外であってもよい。
【００２４】
図１、図４及び図７に示すように、前記支柱２ｂは略Ｌ字状に湾曲しており、ヘルメット用壁掛けフック１を取り付ける壁５に対して垂直となる張り出し棒２ｃと前記張り出し棒２ｃの端部から上方に向かって湾曲したのち前記壁側に近づきながら上方に伸びた起立棒２ｄからなる。
【００２５】
図４に示すように、前記張り出し棒２ｃと起立棒２ｄの角度は７０°から７５°程度（図４では７３°とした）が好ましいが、特に限定したものではなく、前記張り出し棒２ｃと起立棒２ｄの長さによって他の角度となることも考えられる。
【００２６】
前記リング部２ａは前記起立棒２ｃの上端に連設されており、このときリング全体が壁５とは反対側に位置するように連設されている。
【００２７】
図１から図７に示すように、前記プレート３ａは、略長方形状の平板である。四隅には取付孔３ｂを穿設しており、この取付孔３ｂにネジや釘等を挿通して壁５等にヘルメット用壁掛けフック１を固定する。尚、取付孔３ｂを穿設したプレート３ａを取付部３とした。
【００２８】
但し、前記プレート３ａの形状は略長方形状に限定したものではなく、正四角形、円形、楕円形等その他の形状であってもよく、その形状に合わせて前記取付孔３ｂを設ければよい。
【００２９】
また、前記プレート３ａは、前記ヘルメット係止部２と共に係止棒４ａを併設したプレート３ａとしてもよい。
【００３０】
前記係止棒４ａは、前記張り出し棒２ｃと同程度の長さがあればよく、更に先端４ｂがやや上方に向かって湾曲又は垂直に屈曲していると好適であるが、特に限定したものではなく、一直性の棒であってもよい。尚、図面上では係止棒４ａを予備係止部４とした。
【００３１】
図７に示すように、前記取付部３をネジや釘等で壁に固定して本考案であるヘルメット用壁掛けフック１を壁に取り付け、前記リング部２ａにヘルメット６を被せて係止する。
【００３２】
ヘルメット用壁掛けフック１に係止したヘルメットの向きは自由に変える事ができるため、壁の高い位置に係止する場合は、ヘルメット６の正面シールド部６ｃが斜め下方を向くように係止し、壁の低い位置（例えば目線程度）に係止する場合は、前記正面シールド部６ｃが真正面を向くように係止すれば、購入者にとってはヘルメットのデザインを比べやすくなる。
【００３３】
尚、図７の符号６ｂはヘルメット６内に備えた側頭部緩衝部材を示し、符号６ｄは顎紐、符号６ｅはヘルメット６の内部６ｅ空間を示している。但し、ヘルメット６は様々な形状のものがあり、内部構成も異なる場合があり、図７で示したヘルメット６は一例である。
【実施例２】
【００３４】
図８は本考案であるヘルメット用壁掛けフックの第二実施例の斜視図である。
【００３５】
図８に示すように、本考案であるヘルメット用壁掛けフック１ａは、実施例１のヘルメット用壁掛けフック１とほぼ同じ構成をしている。即ち、ヘルメットを壁に掛けるためのフックであって、支柱２ｂの一端にリング部２ａを備えて前記リング部２ａにヘルメット６を被せて係止するヘルメット係止部２と、前記支柱２ｂの他端に連結され壁に固定されるプレート３ａとからなる。
【００３６】
従って、ヘルメット用壁掛けフック１との違いは、予備係止部４が無くヘルメット係止部２のみを備えたことである。
【００３７】
リング部２ａの外径も１５ｃｍ程度であり、支柱の湾曲角度も７０°〜７５°程度を予定しているが、特に限定したものではない。また、プレート３ａの形状も長方形状の平板に限定したものではなく、他の形状であってもよい。
【実施例３】
【００３８】
図９（Ａ）は本考案であるヘルメット用壁掛けフックの第三実施例の斜視図である。
【００３９】
図９（Ａ）に示すように、ヘルメット用壁掛けフック１ｂは、前記プレート３ａを、前記ヘルメット係止部２を複数備えたプレート３ａ、又は前記ヘルメット係止部２に加え係止棒４ａを複数備えたプレート３ａのいずれかのプレート３ａとしたヘルメット用壁掛けフックである。
【００４０】
図９（Ａ）では、前記プレート３ａを横長の平板とし、３つのヘルメット係止部２、２、２及び３つの予備係止部４、４、４並びに８つの取付孔３ｂ、３ｂ、３ｂ・・・を設けたものを一例として示した。
【００４１】
尚、前記ヘルメット係止部２と予備係止部４の設置数を同数にする必要はなく、また、ヘルメット係止部２の下以外の場所に予備係止部４を設けても良い。また、予備係止部４を設けずにヘルメット係止部２のみを複数個設けたものでもよい。
【００４２】
また、リング部２ａの外径も１５ｃｍ程度であり、支柱の湾曲角度も７０°〜７５°程度を予定しているが、特に限定したものではない。また、プレート３ａの形状も長方形状の平板に限定したものではなく、他の形状であってもよい。
【実施例４】
【００４３】
図９（Ｂ）は本考案であるヘルメット用壁掛けフックの第四実施例の斜視図である。
【００４４】
図９（Ｂ）に示すように、ヘルメット用壁掛けフック１ｃは、前記プレート３ａを、前記ヘルメット係止部２を複数備えたプレート３ａ、又は前記ヘルメット係止部２に加え係止棒４ａを複数備えたプレート３ａのいずれかのプレート３ａとしたヘルメット用壁掛けフックである。
【００４５】
図９（Ｂ）では、前記プレート３ａを縦長の平板とし、３つのヘルメット係止部２、２、２及び３つの予備係止部４、４、４並びに８つの取付孔３ｂ、３ｂ、３ｂ・・・を設けたものを一例として示した。
【００４６】
尚、前記ヘルメット係止部２と予備係止部４の設置数を同数にする必要はなく、また、ヘルメット係止部２の下以外の場所に予備係止部４を設けても良い。また、予備係止部４を設けずにヘルメット係止部２のみを複数個設けたものでもよい。
【００４７】
また、リング部２ａの外径も１５ｃｍ程度であり、支柱の湾曲角度も７０°〜７５°程度を予定しているが、特に限定したものではない。また、プレート３ａの形状も長方形状の平板に限定したものではなく、他の形状であってもよい。  
【産業上の利用可能性】
【００４８】
本考案であるヘルメット用壁掛けフックは、壁に取り付けてヘルメットを見栄え良く綺麗に係止できるフックであるため、一般家庭から小規模店舗並びに大規模店舗まで幅広い領域に多大な貢献をもたらす。
【符号の説明】
【００４９】
１      ヘルメット用壁掛けフック
１ａ    ヘルメット用壁掛けフック
１ｂ    ヘルメット用壁掛けフック
１ｃ    ヘルメット用壁掛けフック
２      ヘルメット係止部
２ａ    リング部
２ｂ    支柱
２ｃ    張り出し棒
２ｄ    起立棒
３      取付部
３ａ    プレート
３ｂ    取付孔
４      予備係止部
４ａ    係止棒
４ｂ    先端
５      壁
６      ヘルメット
６ａ    頭頂部緩衝部材
６ｂ    側頭部緩衝部材
６ｃ    正面シールド部
６ｄ    顎紐
６ｅ    内部
【図１】
0003174732.tif 000003
【図２】
0003174732.tif 000004
【図３】
0003174732.tif 000005
【図４】
0003174732.tif 000006
【図５】
0003174732.tif 000007
【図６】
0003174732.tif 000008
【図７】
0003174732.tif 000009
【図８】
0003174732.tif 000010
【図９】
0003174732.tif 000011